【事件の表示】
　特願２００１−　２７２３１「フラッシュメモリカード用コネクタ」拒絶査定不服審判事件〔平成１４年　８月１６日出願公開、特開２００２−２３１３４４〕について、次のとおり審決する。
【結　論】
　本件審判の請求は、成り立たない。
【理　由】
第１　手続の経緯
　本件審判請求に係る出願は、平成１３年２月２日の出願であって、平成１７年１１月１日付けで拒絶査定（発送日：同年１１月８日）がなされたところ、平成１７年１２月８日に拒絶査定不服審判が請求され、平成１８年１月５日に手続補正がなされたものである。
　　
第２　平成１８年１月５日付け手続補正について
［結論］
　平成１８年１月５日付け手続補正を却下する。
［理由］
　１．平成１８年１月５日付け手続補正による発明　　
　　平成１８年１月５日付け手続補正（以下、「本件補正」という。）により、特許請求の範囲の請求項１は、
　「一端辺付近に信号接続部を有するフラッシュメモリカードを実装配線基板に接続するためのコネクタであって、
　カード装着空間が形成されたコネクタ本体と、
　このコネクタ本体の一端部に対して回動自在に取り付けられ、上記カード装着空間の少なくとも一部を閉じる閉状態において、上記フラッシュメモリカードの一端部を上記カード装着空間内に規制するカバー部材と、
　このカバー部材の両側部に形成された一対の垂下部を含み、当該カバー部材を上記コネクタ本体に対して閉状態にロックするためのロック機構と、
　上記コネクタ本体の上記一端部に対向する他端部において上記フラッシュメモリカードの信号接続部に圧接する接点部、および上記実装配線基板に電気接続される接続部を有する信号接続コンタクトと、
　上記コネクタ本体の上記他端部付近に設けられ、上記フラッシュメモリカードの他端部上に位置して当該他端部に係合し、この他端部を上記カード装着空間内に規制する規制部材とを含むことを特徴とするフラッシュメモリカード用コネクタ。」
　と補正された（以下、「本件補正発明」という。）。　
　
　本件補正は、補正前の請求項１に記載した発明を特定するために必要な事項である「カバー部材のロック機構」に関して、該ロック機構が「カバー部材の両側部に形成された一対の垂下部を含」むこと、又、「規制部材」に関して、該規制部材が「フラッシュメモリカードの他端部上に位置」することを限定するものであるから、特許請求の範囲の減縮を目的とするものであり、又、これらの事項は、本願の願書に最初に添付した明細書又は図面（以下「当初明細書」という。）の【００１９】〜【００２１】及び【００１８】に記載された事項であるから、当初明細書に記載した事項の範囲内においてなされたものである。
　上記のとおり、本件補正は特許請求の範囲の減縮を目的とするものであるので、本件補正発明が、特許出願の際に独立して特許を受けることができるものであるか否か、即ち、平成１８年改正前特許法第１７条の２第５項において準用する特許法第１２６条第５項の規定に適合するか否か、について検討する。
　　
　２．引用例に記載された事項
　(１)原査定の拒絶の理由に引用された国際公開９８／２８７０５号パンフレット（以下、「引用例１」という。）には、次の事項が図面と共に記載されている。
　なお、引用例１は、国際公開パンフレット（ドイツ語）であるため、引用箇所の記載及び同箇所の指摘は、同出願に係る特表２００１−５０５６９６号公報によるものである。
　Ａ．「本発明はカード読取り装置に関する。
  カード読取り装置は例えば（但しこれだけというわけではないが）、チップカード若しくはＳＩＭカードによって準備された情報を受け取る及び／又はチップカード若しくはＳＩＭカードのために準備された情報を引き渡すために、携帯電話内に設けられた読取り装置である。」（４頁３〜７行）
　Ｂ．「次に説明するカード読取り装置は、ＭＭカードを読みとるために形成されたカード読取り装置である。しかしこれは本発明が上記のカード読取り装置に限定されるということではなく、基本的には任意のその他のカード（例えば「通常の」チップカード、ＳＩＭカード又はこれに類するもの）を読み取るためにも使用可能である。この場合、このようなカードは、任意の機能及び寸法を有していてよい。
　ＭＭカードの読取りには以下に説明するカード読取り装置が適しており、このＭＭカードは第１Ａ図では平面図で、第１Ｂ図では側方図で示されている。これらの図面から明らかであるように、図示されたＭＭカード１の表面の縁部近くには、一列の表面コンタクト１１の形でコンタクト面が設けられている。ＭＭカード１のこのような表面コンタクト１１は、カード読取り装置によって、正確に言うならばカード読取り装置のコンタクトエレメントによって接触されなければならない。」（６頁下から７行〜７頁６行）
　Ｃ．「カード読取り装置は、以下に第２図〜第８図に基づき詳しく説明するように、上方から操作可能なカード読取り装置である。
　特に第２図及び第３図からわかるように、このカード読取り装置はコンタクト及びカード支持部分２と、この部分に旋回可能に取り付けられたカバー３とから成っている。
　コンタクト及びカード支持部分２は、図示したように前述のコンタクトエレメントを有しており、複数の、即ち実施例では３つまでのＭＭカード１を収容し、これに接触するために働く。
　カバー３は特に、ＭＭカードを所定の（読取り）位置に保持するために働く。
　このカバー３は、特に第５図に示されたカバー平面図及び第３図に示されたカード読取り装置の側方図により明らかなようにピン３１を有している。…(略)…、このピン３１を中心とする旋回によりカバー３を開閉旋回させることができる。」（７頁９〜２３行）
　Ｄ．「コンタクト及びカード支持部分２は既に述べたように、ＭＭカード１の表面コンタクト１１に接触するためのコンタクトエレメントを有している。このコンタクトエレメントは図面では符号２２ａ，２２ｂ，２２ｃで示されている。」（８頁９〜１１行）
　Ｅ．「多重コンタクトエレメント２２はコンタクトエレメント２２ａ，２２ｂ，２２ｃの他に、ろう接舌片２２ｄを形成するように屈曲される付加部と、センタリングエレメント２２ｅとして使用可能な付加部と、押込み加工部２２ｆとを有している。
　ろう接舌片２２ｄは、プリント配線板またはこれに類するもの（図示せず）の相応する結合個所にろう接するために用いられる。これにより、間接的にカード読取り装置もプリント配線板に固定される（プリント配線板へのカード読取り装置の付加的な固定のために図示の実施例では、コンタクト及びカード支持部分２の下面に別のろう接舌片２９が設けられている）。」（１０頁１６〜２４行）
　Ｆ．「読み取りたいＭＭカード１が所要の正確な位置をとり保持するために、コンタクト及びカード支持部分２とカバー３とに適当なフレーム及びストッパ構造が形成されている。この場合、第１の（最下方の）ＭＭカードの規定通りの位置はとりわけコンタクトエレメント区分の第１の端面２３ａと、この第１の端面２３ａに続く第１の斜面２４ａと、コンタクト及びカード支持部分２の、反対側の後方のストッパ面２５とによって規定され、第２の（真ん中の）ＭＭカードの規定通りの位置はとりわけコンタクトエレメント区分の第２の端面２３ｂと、この第２の端面２３ｂに続く第２の斜面２４ｂと、カバー３が閉じられた状態で反対側に位置する、カバー３の第１のストッパ面３２とによって規定され、第３の（最上方の）ＭＭカードの規定通りの位置はとりわけコンタクトエレメント区分の第３の端面２３ｃと、この第３の端面２３ｃに続く第３の斜面２４ｃと、カバー３が閉じられた状態で反対側に位置する、カバー３の第２のストッパ面３３とによって規定されている。コンタクト及びカード支持部分２内に位置するＭＭカードの付加的な側方の保持は特に、カバー３が閉じられた状態で下方に向かって突出する、カバー３に設けられた互いに向かい合って位置する側方のエプロン３４によって行われる。」（１２頁６〜２１行）
　Ｇ．「コンタクト及びカード支持部分２に位置するＭＭカード１を、正確にはその表面コンタクト１１を、コンタクトエレメント２２ａ，２２ｂ，２２ｃに押し付けるために、カバー３が、自由な（前方の）端部区分３５である程度下方に向かって屈曲されていて、ばね弾性的に形成されている。このような端部区分３５はカバーが閉鎖された状態で、コンタクト及びカード支持部分２に位置するＭＭカードを押し付ける。　
　ＭＭカードを押さえつける力を、コンタクト及びカード支持部分２に位置するＭＭカードの数とは無関係であるようにするために、カバー３とコンタクト及びカード支持部分２とを異なる相対位置で互いに係止することができる。コンタクト及びカード支持部分２の係止エレメントは、ばね弾性的に形成されたガイド・ロックアーム２６ａ，２６ｂに設けられている。これらのガイド・ロックアーム２６ａ，２６ｂはこの実施例では、図面に示したように、コンタクト及びカード支持部分２の互いに向き合う側で平行に延びている。カバー３の係止エレメントは、同じくばね弾性的に形成されたロックアーム３６ａ，３６ｂに設けられている。これらのロックアーム３６ａ，３６ｂはこの実施例では、カバー３の自由端部区分３５に対して間隔をおいてカバー３の互いに向き合う側で平行に延びている。
　コンタクト及びカード支持部分２の係止エレメントが第７図に示されている。即ち、ガイド・ロックアーム２６ａ，２６ｂの自由端部区分に互いに向き合うように配置された係止凹部２７ａ，２７ｂであって、これらの係止凹部２７ａ，２７ｂは、ガイド・ロックアーム２６ａ，２６ｂの端面２６１を起点として、ガイド・ロックアーム２６ａ，２６ｂの互いに反対側の外面２６２に沿って所定の距離を延びている。また係止凹部２７ａ，２７ｂの下方の制限面２７１ａ，２７１ｂには斜め面取部２７２ａ，２７２ｂが設けられており、端面に向かって下降するように形成されている。
　カバー３の係止エレメントは第８図に示されている。即ち、ロックアーム３６ａ，３６ｂの自由端部区分に設けられている、係止凹部２７ａ，２７ｂの形状に適合した係止突起３７（１つのロックアームにつき１つの係止突起）である。この係止突起はロックアーム３６ａ，３６ｂの端面３５１から突出しており、それぞれ補強エレメントの３５２によって補強されている。」（１２頁２２行〜１３頁２４行）
　Ｈ．「次いで、カバー３のロックアーム３６ａ，３６ｂの係止突起３７が、コンタクト及びカード支持部分２のガイド・ロックアーム２６ａ及び２６ｂに達する。係止突起は、カバー３のロックアーム３６ａ及び３６ｂを拡開させながら、及び／又はコンタクト及びカード支持部分２のガイド・ロックアーム２６ａ及び２６ｂを押し合わせながら、コンタクト及びカード支持部分２の外面に沿って、最終的に上方の係止凹部２７ａにスナップインするまで滑動する。このような状態ではカバーは、３つのＭＭカードがコンタクト及びカード支持部分２内に挿入されている場合にとらなければならない位置に達する。カバー３をさらに押し下げようとするとカバー３はカード積み体に当接する。カバー３の、ばね弾性的に形成された自由端部区分３５が、カード積み体に押圧力を加え、これにより各ＭＭカードは対応するコンタクトエレメントに押し付けられる。」（１４頁７〜１８行）
　　
　(２)同じく特開平１１−１７６５１６号公報（以下、「引用例２」という。）には、次の事項が図面と共に記載されている。
　Ｉ．「図６は、上記メモリカ−ドが装着される従来のメモリカ−ド装着装置が組み込まれたカードリーダ／ライタ５０のカード装着部周りの斜視図である。このカードリーダ／ライタ５０は、パーソナルコンピュータ（以下、パソコンと記載する）等に接続した状態でメモリカード３０に記録されている情報を読み出し、パソコン側に送信したり、パソコンから送信された情報をメモリカード３０に書き込むなどの処理を行うものである。
　上記メモリカード３０は、例えば、フラッシュＥＥＰＲＯＭを内蔵したミニチュアカード等であって、メモリが実装されている内蔵基板を有しており、さらに、機器側コネクタ部５２に対して接触可能な金メッキの接点部３１ａが配設されている。」（【０００２】３行〜【０００３】５行）
　Ｊ．「図１は、本発明の一実施の形態である部材装着装置であるメモリカード装着装置の分解斜視図である。…(略)…。なお、メモリカ−ド３０は、図６にて説明したものと同様のものである。
　図１に示すように本メモリカード装着装置は、主にメモリカ−ド装着部１ａを有する装置本体１と、上記メモリカ−ド装着部１ａに取り付けられる導電ゴム製の電気的接続用コネクタ２と、上記コネクタ２と接続される電気制御回路基板６と、制御部材としてのロック部材４と、ロック部材４を図２上で時計回りに付勢する２つのトーションバネ５で構成されている。
　なお、上記メモリカ−ド装着部１ａの幅方向をＸ方向とし、カ−ド挿入方向であって、上記Ｘ方向と直交する方向をＹ方向とし、また、上下方向であって、Ｘ方向とＹ方向と直交する方向をＺ方向として以下の説明を行う。
　上記装置本体１のメモリカ−ド装着部１ａには、カ−ド装着部１ａのＹ方向先端部にメモリカ−ド３０の先端部３０ｅを挿入可能な支持部となる凹部１ｂと、Ｙ方向後端側の中央に逆Ｌ字状のカ−ドガイド１ｃおよびその両端にロック部材取り付け部１ｅと、本体側コネクタ２のＸ方向両端部にメモリカ−ドＹ方向位置決め突起１ｄが設けられている。なお、上記コネクタ２の取り付け位置は、上記凹部１ｂとロック部材取り付け部１ｅの間であって、凹部１ｂ寄りの位置とする。」（【００１５】２行〜【００１８】）
　Ｋ．「メモリカ−ド３０をカ−ド装着部１ａに装着する動作について説明する。メモリカ−ド装着前の状態でロック部材４は、カ−ド被押圧部４ｃが持ち上がり、係止爪４ｂが後退した位置に保持されている。メモリカ−ド３０を図３に示すように一端部である先端部３０ｅを本体の凹部１ｂに差し込み、他端部であるカ−ド後端部３０ｇを装着方向であるＺ1 方向に押し下げると、メモリカ−ド３０は本体凹部１ｂが回動軸線となって時計回りに回動する。メモリカ−ド３０の後端エッヂ部３０ｆによりロック部材４の被押圧部４ｃが押され、図４（Ａ）に示すようにロック部材４がトーションバネ５の付勢力に抗して反時計回りに回動する。さらに、図４（Ｂ）に示すようにロック部材４は、被押圧部４ｃがカ−ド装着面１ａに接する。
　そこで、メモリカ−ド３０を押圧するＺ1 方向の力を解放すると、図４（Ｃ）に示すようにカ−ド後端部３０ｇ側がＺ２方向に持ち上がる。そのとき、ロック部材４にはトーションバネ５によるＹ方向前方への付勢力Ｆ1 が作用しており、被押圧部４ｃへの押圧力も解放されるので、ロック部材４がＹ方向前方に移動し、規制爪１ｈにロック部材４の係合爪４ｄが係合して、時計回り方向の回動が規制された状態に保持される。さらに、図４（Ｄ）に示すようにロック部材４の係止爪４ｂがメモリカ−ド３０の切り欠き部３０ｃに嵌入し、メモリカ−ド３０は装着状態となる。この装着状態でメモリカ−ド３０の接点部３１ａは、本体側コネクタ部２に押圧された状態に保持され、電気的接続状態となっている。」（【００２４】〜【００２５】）
　　
　３．引用例に記載された発明
　(１)引用例１に記載された発明
　上記摘記事項Ｇ、Ｈ及び図４〜５、図７、図８の記載からみて、カバー３の両側部先端に形成された一対のロックアーム３６ａ、３６ｂの係止突起３７は、コンタクト及びカード支持部分２の両側部先端に形成されたガイド・ロックアーム２６ａ、２６ｂの係止凹部２７ａ、２７ｂとスナップ係合することにより、カバー３をコンタクト及びカード支持部分２に対して閉状態にロックするものであるから、「ロックアーム、係止突起、ガイド・ロックアーム、係止凹部」は、ロック機構を構成するものである。
　さらに他の摘記事項等も参酌すると、引用例１には、次のような発明（以下、「引用例１記載の発明」という。）が記載されている。
　
　一端辺付近に表面コンタクト１１を有するＭＭ（マルチメディア）カードをプリント配線板に接続するためのカード読取り装置であって、
　カード装着空間が形成されたコンタクト及びカード支持部分２と、
　このコンタクト及びカード支持部分２の一端部に対して回動自在に取り付けられ、上記カード装着空間の少なくとも一部を閉じる閉状態において、上記ＭＭカードの一端部を上記カード装着空間内に規制するカバー３と、
　このカバー３の両側部先端に形成された一対のロックアーム３６ａ，３６ｂを含み、当該カバー３を上記コンタクト及びカード支持部分２に対して閉状態にロックするためのロック機構と、
　上記コンタクト及びカード支持部分２の上記一端部に対向する他端部において上記ＭＭカードの表面コンタクト１１に圧接するコンタクトエレメント２２ａ、２２ｂ、２２ｃ、および上記プリント配線板に電気接続されるろう接舌片２２ｄを有する多重コンタクトエレメント２２と、
　上記コンタクト及びカード支持部分２の他端部付近に設けられ、上記ＭＭカードの他端部に当接し、この他端部をカード装着空間内に規制する第１の端面２３ａ、第２の端面２３ｂ、第３の端面２３ｃとを含む、ＭＭカード読取り装置。
　　
　(２)引用例２に記載された発明
　上記摘記事項Ｉ及び図６等からみて、メモリカード３０は、その一端辺付近に接点部３１ａを有するフラッシュメモリカードである。
　又、摘記事項及び図１〜図４によれば、引用例２には次のような発明（以下、「引用例２記載の発明」という。）が記載されていると認められる。
　　
　カ−ド装着部１ａが形成されたフラッシュメモリカード装着装置本体１と、　該本体１の一端部に回動自在に取り付けられ、ロック時に、上記フラッシュメモリカード３０の一端部に係止して、該フラッシュメモリーカードをカ−ド装着部内にロックするロック部材４と、
　該本体１の上記一端部に対向する他端部付近に設けられ、上記メモリカード３０一端辺付近に設けられた接点部３１ａが押圧される本体側コネクタ２と、
　上記本体１の上記他端部に、上記メモリカード３０の他端部が挿入され、該他端部を上記メモリカ−ド装着部１ａ内に規制する本体凹部１ｂとを含むコネクタ機能を有するフラッシュメモリカード装着装置。
　　
　４．対比・判断
　本件補正発明と引用例１記載の発明とを対比する。
　引用例１記載の発明の「表面コンタクト１１」は、本件補正発明の「信号接続部」に相当し、同様に、「ＭＭカード」は「フラッシュメモリカード」に、「プリント配線板」は「実装配線基板」に、「コンタクト及びカード支持部分２」は「コネクタ本体」に、「カバー３」は「カバー部材」に、「コンタクトエレメント２２ａ、２２ｂ、２２ｃ」は「接点部」に、「ろう接舌片２２ｄ」は「接続部」に、「多重コンタクトエレメント２２」は「信号接続コンタクト」に、それぞれ相当し、又、引用例１記載の発明の「カード読取り装置」がコネクタ機能を有していることは明らかであるから、引用例１記載の発明は「コネクタ」と言い換えることができる。
　さらに、本件補正発明の「垂下部」と引用例１記載の発明の「ロックアーム３６ａ，３６ｂ」とは、カバー部材の両側部に形成された一対の部材である点で共通するものである。
　以上の認定によれば、両発明は、次の一致点、相違点を有するものである。
［一致点］
　一端辺付近に信号接続部を有するフラッシュメモリカードを実装配線基板に接続するためのコネクタであって、
　カード装着空間が形成されたコネクタ本体と、
　このコネクタ本体の一端部に対して回動自在に取り付けられ、上記カード装着空間の少なくとも一部を閉じる閉状態において、上記フラッシュメモリカードの一端部を上記カード装着空間内に規制するカバー部材と、
　このカバー部材の両側部に形成された一対の部材を含み、当該カバー部材を上記コネクタ本体に対して閉状態にロックするためのロック機構と、
　上記コネクタ本体の上記一端部に対向する他端部において上記フラッシュメモリカードの信号接続部に圧接する接点部、および上記実装配線基板に電気接続される接続部を有する信号接続コンタクトと、
　を含むことを特徴とするフラッシュメモリカード用コネクタ。
［相違点１］
　ロック機構が、本件補正発明では、カバー部材の両側部に形成された一対の垂下部を含むのに対して、引用例１記載の発明では、カバー部材の両側部に形成された一対のロックアームを含む点。　
［相違点２］
　本件補正発明が、フラッシュメモリカードの他端部上に位置して当該他端部に係合し、この他端部をカード装着空間内に規制する規制部材を有しているのに対して、引用例１記載の発明は、そのような規制部材を有していない点。
　　
　上記相違点について検討する。
［相違点１について］
　フラッシュメモリカード用コネクタにおいて、カバー部材の両側部に形成された一対の垂下部を含むようなロック機構は、従来周知の技術事項（例えば、特開２０００−３４０２９８号公報、特開２０００−４８８７９号公報参照）であるから、引用例１記載の発明において、これら周知の技術事項を採用して本件補正発明の構成とすることは、当業者が容易に想到し得たことである。
　　
［相違点２について］
　引用例２には、上記のとおりの発明が記載されており、引用例２記載の発明の「カード装着部」は、本件補正発明の「カード装着空間」に相当することは明らかである。
　又、引用例２記載の発明の「本体凹部１ｂ」は、フラッシュメモリカードの他端部が挿入され、フラッシュメモリカード挿入時には、本体凹部（の上片）が、フラッシュメモリカードの他端部上に位置して当該他端部に係合し、フラッシュメモリカードの他端部を、カ−ド装着部（カード装着空間内）に規制するものであるから、該「本体凹部１ｂ」は、本件補正発明の「規制部材」に相当するものと言える。
　即ち、引用例２記載の発明は、上記相違点に係る「規制部材」を有するものであり、引用例１記載の発明、引用例２記載の発明は、何れも、フラッシュメモリカード装着装置の技術分野に属するものであり、フラッシュメモリカード装着装置において、フラッシュメモリカードの接点が、電気的に確実に接続されなければならないことは自明の課題であるから、引用例２記載の発明を引用例１記載の発明に適用して、本件補正発明の構成とすることは、当業者が容易に想到し得ることである。
　　
［作用効果について］
　本件補正発明の奏する作用効果も、引用例１、２記載の発明及び周知の技術事項の奏する作用効果から、当業者が予測できる範囲のものであって、格別なものではない。
　　
　以上のとおり、本件補正発明は、引用例１、２記載の発明、及び、周知の技術事項に基づいて当業者が容易に発明をすることができたものであるから、特許法第２９条第２項の規定に違反し、特許出願の際独立して特許を受けることができないものである。
　　
　５．むすび　　
　したがって、本件補正は、平成１８年改正前特許法第１７条の２第５項において準用する特許法第１２６条第５項の規定に違反するものであるから、平成１８年改正前特許法第１５９条第１項の規定で読み替えて準用する同法第５３条第１項の規定により却下すべきものである。
　　
第３　本願発明について
　１．本願発明
　上記のとおり、本件補正は却下されたので、本願の請求項１に係る発明は、平成１７年４月１２日付け手続補正書の特許請求の範囲の請求項１に記載された次のとおりのものである（以下「本願発明」という。）。
　「一端辺付近に信号接続部を有するフラッシュメモリカードを実装配線基板に接続するためのコネクタであって、
　カード装着空間が形成されたコネクタ本体と、
　このコネクタ本体の一端部に対して回動自在に取り付けられ、上記カード装着空間の少なくとも一部を閉じる閉状態において、上記フラッシュメモリカードの一端部を上記カード装着空間内に規制するカバー部材と、
　このカバー部材を上記コネクタ本体に対して閉状態にロックするためのロック機構と、
　上記コネクタ本体の上記一端部に対向する他端部において上記フラッシュメモリカードの信号接続部に圧接する接点部、および上記実装配線基板に電気接続される接続部を有する信号接続コンタクトと、
　上記コネクタ本体の上記他端部付近に設けられ、上記フラッシュメモリカードの他端部に係合して、この他端部を上記カード装着空間内に規制する規制部材とを含むことを特徴とするフラッシュメモリカード用コネクタ。」
　　
　２．引用例に記載された事項
　原査定の拒絶の理由に引用された引用例及びその記載事項は、上記「第２　２．」に記載したとおりである。
　　
　３．引用例に記載された発明
　原査定の拒絶の理由に引用された引用例に記載された発明は、上記「第２　３．」に記載したとおりである。
　　
　４．対比・判断
　本願発明は、上記「第２　１．」に記載した本件補正発明から、「カバー部材のロック機構」に関して、該ロック機構が「カバー部材の両側部に形成された一対の垂下部を含」むこと、又、「規制部材」に関して、該規制部材が「フラッシュメモリカードの他端部上に位置」することを限定する特定事項を省くものである。
　してみると、本願発明の特定事項を全て含み、さらに特定事項を付加した本件補正発明が、上記「第２　４．」に記載したとおり、引用例１、２記載の発明、及び、周知の技術事項に基づいて当業者が容易に発明をすることができたものである以上、本願発明についても、同様の理由により、引用例１、２記載の発明、及び、周知の技術事項に基づいて当業者が容易に発明をすることができたものである。
　
　５．むすび
　したがって、本願発明は、特許法第２９条第２項の規定により特許を受けることができない。
　よって、結論のとおり審決する。